(57)【要約】      （修正有）【課題】建築現場における施工作業を迅速に行い、建築現場における作業コストを低減する。【解決手段】形成する家屋１２の基礎１４の上に立設され、家屋の断熱壁（壁）１６を形成する壁隅部形成ユニット１０を、断熱材が内設された断熱パネル２０と、断熱パネル２０と平行に断熱パネル２０の一方の面２２側に固定された内装パネル２６と、空気が断熱パネル２０の一方の面２２に沿って下から上へ通り抜け可能な通気経路３０と、を備えて構成した。【選択図】図７
2018040156.tif 000002
【特許請求の範囲】
【請求項１】
建築構造物の基礎の上に立設され、該建築構造物の壁の少なくとも隅部を形成する壁隅部形成ユニットであって、
断熱材が内設された断熱パネルと、
前記断熱パネルと平行に該断熱パネルの一方の面に固定された内装パネルと、
を備え、
前記内装パネルは、前記建築構造物の前記壁を形成した時に隅柱を構成する隅柱形成縦木を備えた壁隅部形成ユニット。
【請求項２】
前記断熱パネルは、前記隅部に配置される隅部断熱材を備えた請求項１に記載する壁隅部形成ユニット。
【請求項３】
前記内装パネルは、前記建築構造物の前記壁を形成した時に梁を構成する梁形成横木を備えた請求項１又は２に記載する壁隅部形成ユニット。
【請求項４】
請求項１〜３のいずれかに記載する壁隅部形成ユニットと組み合わされ、建築構造物の基礎の上に立設され、壁隅部形成ユニットとともに該建築構造物の壁の少なくとも隅部を形成する組合せユニットであって、
断熱材が内設された断熱パネルと、
前記断熱パネルと平行に該断熱パネルの一方の面に固定された内装パネルと、
を備え、
前記内装パネルに、前記壁隅部形成ユニットの前記隅柱形成縦木を配置するための配置空間が形成された組合せユニット。
【請求項５】
請求項１〜３のいずれかに記載する壁隅部形成ユニットと、請求項４に記載する組合せユニットとを含む壁隅部形成セット。
【請求項６】
請求項１〜３のいずれかに記載する壁隅部形成ユニット、又は請求項５に記載する壁隅部形成セットを含む建築構造物。
【発明の詳細な説明】
【技術分野】
【０００１】
本発明は、建築構造物の基礎の上に立設されることにより壁の隅部を形成する壁隅部形成ユニット、組合せユニット、壁隅部形成セット、及び壁隅部形成ユニット又は壁隅部形成セットを含む建築構造物に関する。
【背景技術】
【０００２】
従来から、断熱材を有する断熱壁によって建築構造物の室内の温度調整が行われている。断熱壁の施工は、通常、建築構造物の建築現場において、外装パネルを立設した後に、外装パネルの屋内側に断熱材の原材料を吹き付けることによって断熱材を設け、断熱材を内装プレートで覆うことによって行われる。
【０００３】
しかし、屋外である建築現場で断熱材の原材料を吹き付ける作業は、天気、外気温又は湿度に影響を受ける。例えば、雨天の場合には、断熱材の原材料を吹き付ける作業を中止する必要が生じる。このため、建築現場において迅速な作業ができず、建築現場における作業コストが嵩むこととなっていた。
【０００４】
そこで、本発明者によって、図１１（ａ）に示すように、断熱材２を備えた壁形成ユニット１が創作され出願されている（特開２０１６−７００５４）。壁形成ユニット１は、工場において製造し、建築現場まで運搬し、図１１（ｂ）に示すように、基礎５の上に立設する。壁形成ユニット１により、建築現場において断熱材の原材料を吹き付ける等の作業を行うことなく、断熱材２を備えた断熱壁３を形成できる。
【０００５】
ところが、断熱壁３の隅部４を形成するのは困難である。例えば、図１１（ｂ）に示すように、建築現場において、基礎５の隅部６に隅柱７を立設した後、２枚の壁形成ユニット１を隅柱７に隣接させて立設する必要があった。その後、２枚の内側板８−１を隅柱７に固定し、例えば、発泡硬質ウレタンフォームを加工して形成した２個の断熱材９を内側板８−１に貼り付ける必要があった。その後は、２枚の外側板８−２で断熱材９を覆う必要があった。このため、断熱壁３の隅部４の形成に関しては、建築現場において煩雑な作業が必要であった。
【先行技術文献】
【特許文献】
【０００６】
【特許文献１】特開２０１６−７００５４
【発明の概要】
【発明が解決しようとする課題】
【０００７】
本発明は、断熱壁の隅部の形成に関して、建築現場における施工作業を迅速に行うことができ、建築現場における作業コストを低減できる壁隅部形成ユニット、組合せユニット、壁隅部形成セット、及び壁隅部形成ユニット又は壁隅部形成セットを含む建築構造物を提供することを目的とする。
【課題を解決するための手段】
【０００８】
本発明の壁隅部形成ユニットは、建築構造物の基礎の上に立設され、該建築構造物の壁の少なくとも隅部を形成する壁隅部形成ユニットであって、
断熱材が内設された断熱パネルと、前記断熱パネルと平行に該断熱パネルの一方の面に固定された内装パネルと、を備え、
前記内装パネルは、前記建築構造物の前記壁を形成した時に隅柱を構成する隅柱形成縦木を備えたことを特徴とする。
【０００９】
本願明細書及び本願特許請求の範囲において、建築構造物とは、家屋等の建物又は建物の一部を言う。また、壁の隅部とは、一の壁と他の壁とが交叉する部分を言う。隅柱とは、壁の隅部に立設される柱を言う。
【００１０】
また、本発明の壁隅部形成ユニットは、前記壁隅部形成ユニットにおいて、前記断熱パネルは、前記隅部に配置される隅部断熱材を備えたことを特徴とする。
【００１１】
また、本発明の壁隅部形成ユニットは、前記壁隅部形成ユニットにおいて、前記内装パネルは、前記建築構造物の前記壁を形成した時に梁を構成する梁形成横木を備えたことを特徴とする。
【００１２】
また、本発明の組合せユニットは、前記壁隅部形成ユニットと組み合わされ、建築構造物の基礎の上に立設され、壁隅部形成ユニットとともに該建築構造物の壁の少なくとも隅部を形成し、
断熱材が内設された断熱パネルと、前記断熱パネルと平行に該断熱パネルの一方の面に固定された内装パネルと、を備え、前記内装パネルに、前記壁隅部形成ユニットの前記隅柱形成縦木を配置するための配置空間が形成されたことを特徴とする。
【００１３】
また、本発明の壁隅部形成セットは、前記壁隅部形成ユニットと、前記組合せユニットとを含むことを特徴とする。
【００１４】
また、本発明の建築構造物は、前記壁隅部形成ユニットを含むことを特徴とする。
【発明の効果】
【００１５】
本発明の壁隅部形成ユニットは、工場において製造し、建築現場まで運搬し、建築現場に既に形成されている基礎の上に固定し立設することにより、壁の隅部を含んだ断熱壁を形成することができる。これにより、建築現場における施工作業を迅速に行うことができ、建築現場における作業コストを低減できる。
【図面の簡単な説明】
【００１６】
【図１】図１（ａ）は本発明に係る壁隅部形成ユニットを示す平面断面図であり、図１（ｂ）は組合せユニットを示す平面断面図である。
【図２】図１（ａ）の壁隅部形成ユニットを用いて形成した断熱壁の側面断面図である。
【図３】図１（ａ）の壁隅部形成ユニットを組み立てる状態を示す斜視図である。
【図４】図１（ａ）の壁隅部形成ユニットを立設する基礎を示す平面図である。
【図５】図１（ａ）の壁隅部形成ユニット及び図１（ｂ）の組合せユニット等を立設して形成した断熱壁を示す平面断面図である。
【図６】図６（ａ）は図１（ａ）の壁隅部形成ユニットに接続する壁形成ユニットを示す平面断面図であり、図６（ｂ）は図１（ｂ）の組合せユニットに接続する壁形成ユニットを示す平面断面図である。
【図７】図１（ａ）の壁隅部形成ユニット及び図１（ｂ）の組合せユニット等を用いて形成した家屋の側面断面図である。
【図８】本発明の壁隅部形成ユニット及び組合せユニットの他の実施形態を示す平面断面図である。
【図９】本発明の壁隅部形成ユニット及び組合せユニットの更に他の実施形態を示す図であり、同図（ａ）は壁隅部形成ユニット及び組合せユニットを基礎の上に立設した状態を示す平面断面図であり、同図（ｂ）は建築現場での施工が終了した状態を示す平面断面図である。
【図１０】本発明の壁隅部形成ユニット及び組合せユニットの更に他の実施形態を示す図であり、同図（ａ）は壁隅部形成ユニット及び組合せユニットを基礎の上に立設した状態を示す平面断面図であり、同図（ｂ）は建築現場での施工が終了した状態を示す平面断面図である。
【図１１】図１１（ａ）は従来の壁形成ユニットを示す平面断面図であり、１１図（ｂ）は図１１（ａ）の壁形成ユニットによって断熱壁を形成した状態を示す平面断面図である。
【発明を実施するための形態】
【００１７】
次に、本発明の実施形態について、図面に基づいて詳細に説明する。図１、図２、図３において、符号１０は、本発明に係る壁隅部形成ユニットを示し、符号２０８は、本発明に係る組合せユニットを示す。
【００１８】
壁隅部形成ユニット１０は、図２に示すように、形成する家屋１２（図７に示す）の基礎１４の上に立設され、家屋１２の断熱壁（壁）１６を形成する。壁隅部形成ユニット１０は、図２に示すように、断熱材１８が内設された断熱パネル２０と、断熱パネル２０と平行に断熱パネル２０の一方の面２２側に固定された内装パネル２６と、空気が断熱パネル２０の一方の面２２に沿って下から上へ通り抜け可能な通気経路３０と、を備える。
【００１９】
（断熱パネル）
断熱パネル２０は、図２及び図３に示すように、上端に上横木３２を備え、下端に下横木３４を備える。上横木３２及び下横木３４には、図示しないＬ字金具により５本の縦木４０及び１本の隅部縦木２０４が固定されている。上横木３２、下横木３４、隅部縦木２０４及び５本の縦木４０には、図示しない釘により木製のプレート４３が貼り付けられている。上横木３２と下横木３４との間であって、一の縦木４０と他の縦木４０との間において、プレート４３に発泡硬質ウレタンを吹き付け、吹き付けられた発泡硬質ウレタンが発泡することにより、断熱材１８が形成される。上横木３２と下横木３４との間であって、隅部縦木２０４と隅部縦木２０４に隣接する縦木４０との間において、プレート４３に発泡硬質ウレタンを吹き付け、吹き付けられた発泡硬質ウレタンが発泡することにより、隅部断熱材２２４が形成される。隅部縦木２０４と隅部縦木２０４に隣接する縦木４０との間に、隅部断熱材２２４を形成することにより、形成する家屋の隅部においても断熱効果が生じる。上横木３２と下横木３４との間であって、一の縦木４０と他の縦木４０との間又は隅部縦木２０４と隅部縦木２０４に隣接する縦木４０との間において、既に発泡が行われて形成されている板状の発泡硬質ウレタンフォーム又はグラスウール板を嵌め込むことによって、断熱材１８又は隅部断熱材２２４を形成してもよい。
【００２０】
（内装パネル）
図２及び図３に示すように、内装パネル２６は、基礎１４の上に固定する固定用横木４６を、下端に備えている。固定用横木４６には、縦孔４４が形成される。固定用横木４６は、基礎１４に立設されている複数の植込みボルト４２を縦孔４４に貫通し、ボルト４２にナット３８を上から螺合することよって、基礎１４の上に固定される。内装パネル２６の上端には、家屋を形成した時に梁を構成する梁形成横木２０２を備えている。図３に示すように、固定用横木４６及び梁形成横木２０２には、図示しないＬ字金具により３本の縦木７４が固定されている。
【００２１】
また、固定用横木４６の一端部７０及び梁形成横木２０２の一端部７２には、家屋を形成した時に隅柱を構成する隅柱形成縦木２００が固定されている。固定用横木４６と梁形成横木２０２との間であって、一の縦木７４と他の縦木７４との間、及び隅柱形成縦木２００と隅柱形成縦木２００に隣接する縦木７４との間には、中空部８０が形成される。内装パネル２６の固定用横木４６の下面と断熱パネル２０の下横木３４の下面とは、壁隅部形成ユニット１０を運搬等するために床の上等鉛直に立てることができるように、面一に構成されている。図１（ａ）に示すように、断熱パネル２０の隅部縦木２０４の外側面２０７は、内装パネル２６の隅柱形成縦木２００の外側面２０５よりも突出している。これにより、壁隅部形成ユニット１０には、組合せユニット２０８を組み合わせる組合せ空間２０９が形成される。
【００２２】
（通気経路）
図２及び図３に示すように、断熱パネル２０の５本の縦木４０及び隅部縦木２０４に固定され横に延びる係合棒６８の裏面（図２において右側面）に、内装パネル２６の隅柱形成縦木２００及び３本の縦木７４に固定された係合金具７６の先端７７が係合されることにより、断熱パネル２０と内装パネル２６とが固定される。係合金具７６の図２における左右方向長さは、断熱パネル２０と内装パネル２６との間に隙間７９が生じる長さである。隙間７９及び内装パネル２６の中空部８０によって通気経路３０が形成される。隙間７９の下端部から中空部８０に入った空気が隙間７９の上端部から上へ通り抜けることができる。
【００２３】
（組合せユニット）
断熱壁１６の隅部２０６（図５に示す）を形成するために壁隅部形成ユニット１０に組み合わせる組合せユニット２０８を図１（ｂ）に示す。組合せユニット２０８は、図２に示すように、形成する家屋１２（図７に示す）の基礎１４の上に立設され、家屋１２の断熱壁（壁）１６を形成する。壁隅部形成ユニット１０は、図２に示すように、断熱材１８が内設された断熱パネル２０と、断熱パネル２０と平行に断熱パネル２０の一方の面２２側に固定された内装パネル２６と、空気が断熱パネル２０の一方の面２２に沿って下から上へ通り抜け可能な通気経路３０と、を備える。図１（ｂ）に示す組合せユニット２０８を反時計まわりに９０度回転させて、図４に示す基礎１４の上において、図５に示すように、壁隅部形成ユニット１０と組み合わせる。壁隅部形成セットは、壁隅部形成ユニット１０と組合せユニット２０８とから構成される。
【００２４】
図１（ｂ）に示すように、組合せユニット２０８は、断熱パネル２０と内装パネル２６と通気経路３０とを備える点で、壁隅部形成ユニット１０と同じ構成である。組合せユニット２０８の内装パネル２６は、壁隅部形成ユニット１０と同じように、固定用横木４６（図１（ｂ）に示す）及び梁形成横木（図示しない）を備える。その他、壁隅部形成ユニット１０と共通するところは、同一の符号を付して説明に替える。但し、組合せユニット２０８は、壁隅部形成ユニット１０の隅柱形成縦木２００を備えず、壁隅部形成ユニット１０の隅柱形成縦木２００を配置するための配置空間２１０（図１（ｂ）に示す）が形成されている。組合せユニット２０８及び壁隅部形成ユニット１０は、組合せユニット２０８のプレート４３の裏面の一部分２１６を、壁隅部形成ユニット１０の隅部縦木２０４に接合できる寸法で構成されている。組合せユニット２０８の厚みＬ２は、壁隅部形成ユニット１０のプレート４３の一端２１２から、隅柱形成縦木２００の一側面２１４までの距離Ｌ１と一致するように構成されている。これにより、図５に示すように、壁隅部形成ユニット１０と組合せユニット２０８とを組み合わせた時に、断熱壁１６の隅部２０６の外面に段差が生じない。
【００２５】
（壁形成ユニット）
基礎１４の上において、壁隅部形成ユニット１０に接続する壁形成ユニット２１８を、図６（ａ）に示す。基礎１４の上において、組合せユニット２０８に接続する壁形成ユニット２２０を、図６（ｂ）に示す。壁形成ユニット２１８を壁隅部形成ユニット１０に接続し、壁形成ユニット２２０を組合せユニット２０８に接続することにより、壁形成ユニット２１８及び壁形成ユニット２２０は、断熱パネル２０と内装パネル２６と通気経路３０とを備える点で、組合せユニット２０８と同じ構成である。壁形成ユニット２１８及び壁形成ユニット２２０の内装パネル２６は、組合せユニット２０８と同じように、固定用横木４６（図６（ａ）及び図６（ｂ）に示す）及び梁形成横木（図示しない）を備える。但し、壁形成ユニット２１８及び壁形成ユニット２２０は、組合せユニット２０８の隅部縦木２０４を備えない。その他、壁形成ユニット２１８及び壁形成ユニット２２０が壁隅部形成ユニット１０等と共通するところは、同一の符号を付して説明に替える。
【００２６】
上述の構成の壁隅部形成ユニット１０、組合せユニット２０８、壁形成ユニット２１８及び壁形成ユニット２２０を用いて図５に示す断熱壁１６を形成する方法を以下に示す。特に示さない限り、時系列に沿って説明する。
【００２７】
（壁隅部形成ユニット等の搬出）
工場において形成された壁隅部形成ユニット１０、組合せユニット２０８、壁形成ユニット２１８及び壁形成ユニット２２０は、クレーン（図示しない）が備えるワイヤー（図示しない）の先端に連結されたチャック（図示しない）によって挟持され持ち上げられる。持ち上げられた壁隅部形成ユニット１０等は、クレーンによってトラックに積まれる。必要な数量の壁隅部形成ユニット１０等がトラックに積まれて建築現場まで運搬される。尚、壁隅部形成ユニット１０等の寸法は、家屋の大きさ、形状等によって異なる。壁隅部形成ユニット１０等の他に、窓を有する図示しない壁形成ユニット、及び玄関若しくは通用口等の壁を形成するための図示しない壁形成ユニット等がトラックに積まれて建築現場まで運搬される。
【００２８】
（壁隅部形成ユニット等の搬入）
建築現場においては、予め、図４に示すように、家屋の外壁形状に沿った基礎１４が形成されている。また、床下１２２（図７に示す）及び地中（図示しない）には、床下１２２と地中との間で放熱又は吸熱を行う熱伝達器具１２４（図７に示す）が設けられている。また、床下１２２には、ポンプ等によって空気を通気経路３０へ送る図示しない空気循環器が設けられている。トラックに積まれている壁隅部形成ユニット１０等は、クレーンが備えるワイヤーの先端に連結されたチャックによって挟持され持ち上げられる。
【００２９】
（壁及び家屋の形成）
図２に示すように、壁隅部形成ユニット１０等の固定用横木４６に形成されている縦孔４４に、基礎１４に立設されている複数の植込みボルト４２を貫通し、植込みボルト４２にナット３８を上から螺合することよって、固定用横木４６が基礎１４の上に固定される。これにより、図５に示すように、壁隅部形成ユニット１０等が基礎１４の上に立設される。壁形成ユニット２１８は壁隅部形成ユニット１０に隣接され、壁形成ユニット２２０は組合せユニット２０８に隣接される。
【００３０】
図５に示すように、基礎１４の隅部２２２においては、壁隅部形成ユニット１０と組合せユニット２０８とが組み合わされる。基礎１４に埋め込まれた植込みボルト４２に、壁隅部形成ユニット１０及び組合せユニット２０８の固定用横木４６に設けられている縦孔４４が挿入され、ナット３８が植込みボルト４２に螺合され、固定用横木４６が基礎１４に固定される。これにより、壁隅部形成ユニット１０の隅柱形成縦木２００が隅部２２２に固定され、隅柱形成縦木２００が隅柱を形成する。隅柱形成縦木２００は、組合せユニット２０８の配置空間２１０（図１（ｂ）に示す）に配置される。隅柱形成縦木２００を図示しない金具によって基礎１４に固定しても良い。
【００３１】
各々の縦木４０等同士が図示しないボルト、ナット又はその他の金具により固定されることにより、壁隅部形成ユニット１０等同士が固定される。隅部２２２においては、図５に示すように、組合せユニット２０８のプレート４３の裏面の一部分２１６（図１（ｂ）に示す）が、接着剤により、壁隅部形成ユニット１０の隅部縦木２０４（図１（ａ）に示す）に接合される。この時、図２に示すように、固定用横木４６と基礎１４との間は、通気路１３３を形成するために、複数の樹脂片１３０が、図４に２点鎖線で示すように、隙間を開けて配置される。埋め込みボルト４２（図４に示す）が複数の樹脂片１３０の隙間に位置するように、複数の樹脂片１３０が配置される。図７に示すように、床下１２２と隙間７９との間で通気可能なように、床板１３１は複数の樹脂片１３０上に設置される。断熱パネル２０と基礎１４との間は、空気が漏れないように、シール部材１３２が設けられる。基礎１４の上に立設された壁隅部形成ユニット１０等の屋内側に内装プレート１２６（図７に示す）が貼り付けられる。以上のようにして、壁隅部形成ユニット１０、組合せユニット２０８、壁形成ユニット２１８及び壁形成ユニット２２０から成る断熱壁１６が形成される。
【００３２】
次に、図７に示すように、天井１４０及び屋根１２０が設けられる。天井１４０は、隙間１４６が生じるように、梁形成横木２０２の下方に固定される。断熱パネル２０の上横木３２と内装パネル２６の梁形成横木２０２との間に、中空部８０から屋根１２０の裏側に空気が漏れないように、シール１３４が設けられる。家屋１２の形成方法に関して、上述以外の方法は、従来の家屋形成方法と同様である。梁形成横木２０２は、家屋１２の梁を形成する。なお、建築現場において、壁隅部形成ユニット１０、組合せユニット２０８、壁形成ユニット２１８及び壁形成ユニット２２０から断熱パネル２０を取り外した内装パネル２６のみを基礎１４上に設けた後に、各々の断熱パネル２０を内装パネル２６に固定することにより、断熱壁１６を形成しても良い。
【００３３】
（壁隅部形成ユニットの効果）
本発明の壁隅部形成ユニット１０によれば、工場において製造し、建築現場まで運搬し、建築現場に既に形成されている基礎１４の上に固定し立設することにより、断熱壁１６の隅部２０６を含めて断熱壁１６を形成することができる。壁隅部形成ユニット１０は隅柱形成縦木２００を備えるため、建築現場において隅柱を基礎１４の上に立設することなく、隅柱形成縦木２００によって隅柱を形成できる。また、壁隅部形成ユニット１０は、隅部断熱材２２４を備えるため、建築現場において断熱材を隅部２０６に嵌め込み、又は断熱材の原材料を吹き付ける等の作業を行うことなく、断熱壁１６の隅部２０６の隅部断熱材２２４を設けることができる。これにより、建築現場における施工作業を迅速に行うことができ、建築現場における作業コストを低減できる。
【００３４】
また、壁隅部形成ユニット１０、組合せユニット２０８、壁形成ユニット２１８及び壁形成ユニット２２０を基礎１４の上に立設することにより、断熱パネル２０の一方の面２２に通気経路３０を有する断熱壁１６を容易且つ迅速に形成できる。
【００３５】
また、隅柱形成縦木２００に固定された係合金具７６が係合棒６８に係合されることにより、断熱壁１６の隅部において、断熱パネル２０と内装パネル２６との固定が強固となる。また、隅柱形成縦木２００に固定された係合金具７６は、図１（ａ）における最左の一の縦木４０の近辺で、係合棒６８に係合され、しかも、最左の縦木４０には隅部縦木２０４が接近している。このため、特に断熱壁１６の隅部を強固に形成でき、家屋全体を強固に形成できる。
【００３６】
（形成した家屋の作用及び効果）
床下１２２の空気循環器を作動させることにより、図７に示すように、床下１２２の空気が、内装パネル２６と断熱パネル２０との隙間７９の下端を通り、内装パネル２６の中空部８０内を上昇し、隙間１４６を通り天井１４０の上へ流れ、天井１４０の上から通気孔１４４を通って、屋内１４２に流れる。地中の温度は１年中１４℃〜２０℃で略一定である。夏場は地中の温度が大気の温度よりも低い。このため、夏場は、床下１２２の熱が熱伝達器具１２４を介して地中へ放熱される。冬場は地中の温度が大気の温度よりも高い。このため、地中の熱が熱伝達器具１２４を介して床下１２２へ移動する。これにより、床下１２２の空気の温度を略一定に維持できる。このため、床下１２２の  空気を、中空部８０等を介して屋内１４２へ取り込むことにより、屋内１４２を略一定温度に保つことができる。このため、冷暖房装置のエネルギーコストを低減できる。
【００３７】
以上、本発明の一実施形態について説明したが、本発明は上述の実施形態に限定されない。例えば、壁隅部形成ユニット１０、組合せユニット２０８、壁形成ユニット２１８、壁形成ユニット２２０において、図８に示すように、外装パネル２４を備えてもよい。図８に示す壁隅部形成ユニット１０等は、外装パネル２４を備えること以外は、図１及び図６に示す壁隅部形成ユニット１０等と同じ構成であり、図１等に示す壁隅部形成ユニット１０等と同じ効果が生じる。外装パネル２４は、中空部２８を有する。中空部２８は、図示しない下端開口部及び上端開口部を有する。
【００３８】
図８に示す壁隅部形成ユニット１０等を用いて形成した家屋（図示しない）において、軒瓦の下方に通気孔を設け、外装パネル２４の中空部２８の空気が中空部２８の上端開口部から屋根の裏へ抜けるように構成することにより、以下の効果が生じる。すなわち、家屋の外で地面に当たって上斜め方向に流れる風が、外装パネル２４の中空部２８の下端開口部から中空部２８に入り、中空部２８内を上昇し、上端開口部から屋根の裏へ抜け、屋根の裏を流れて通気孔から排出される。このため、夏場は、屋外から屋内に伝わろうとする熱が中空部２８内の空気に吸収されて屋外へ排出され、冬場は、屋外の冷気によって冷やされた中空部２８内の空気が屋外へ排出される。これにより、屋外と屋内との間での断熱効果を高めることができる。
【００３９】
また、本発明の壁隅部形成ユニット１０において、隅部断熱材２２４のみを建築現場において形成しても良い。この場合、例えば、工場において、隅部断熱材２２４を形成するための隅部中空部２２５を形成した図９（ａ）に示す壁隅部形成ユニット１０を製造する。図９（ａ）に示す壁隅部形成ユニット１０は、工場において隅部断熱材２２４を形成しないこと以外は、図１（ａ）に示す壁隅部形成ユニット１０と同じ構成である。建築現場において、図１（ａ）に示すように、壁隅部形成ユニット１０を基礎１４の上に立設し、組合せユニット２０８を壁隅部形成ユニット１０に組み合わせて基礎１４の上に立設する。次に、図９（ｂ）に示すように、隅部中空部２２５に発泡硬質ウレタンを吹き付け、吹き付けられた発泡硬質ウレタンが発泡することにより、隅部断熱材２２４が形成される。発泡硬質ウレタンフォームを加工して形成した断熱材を隅部中空部２２５に嵌め込んでも良い。その後、蓋板２２６を壁隅部形成ユニット１０の隅部縦木２０４及び図９（ｂ）における最左の縦木４０に固定して隅部断熱材２２４を覆う。さらに、断熱壁１６の隅部２０６に段差が生じないように、シール板２２８を壁隅部形成ユニット１０の隅部縦木２０４及び組合せユニット２０８の隅部縦木２０４に固定する。
【００４０】
図９（ａ）に示す壁隅部形成ユニット１０によっても、建築現場において隅柱を基礎１４の上に立設することなく、隅柱形成縦木２００によって隅柱を形成できる。これにより、建築現場における施工作業を迅速に行うことができ、建築現場における作業コストを低減できる。
【００４１】
また、本発明の壁隅部形成ユニット１０は、工場において、図１０（ａ）に示すように、隅部中空部２２５内に隅部断熱材２２４を設け、隅部断熱材２２４内にパイプ２３０を埋め込んでおいても良い。図１０（ａ）に示す壁隅部形成ユニット１０は、パイプ２３０を設けていること以外は、図１（ａ）に示す壁隅部形成ユニット１０と同じ構成である。この場合、建築現場において、図１０（ａ）に示すように、壁隅部形成ユニット１０を基礎１４の上に立設し、組合せユニット２０８を壁隅部形成ユニット１０に組み合わせて基礎１４の上に立設する。次に、図１０（ｂ）に示すように、パイプ２３０内に図示しない工具を入れ、木ネジ２３２を、壁隅部形成ユニット１０の係合棒６８から組合せユニット２０８の隅部縦木２０４まで螺入することにより、壁隅部形成ユニット１０と組合せユニット２０８とを固定する。その後、パイプ２３０内に発泡硬質ウレタンを吹き付け、吹き付けられた発泡硬質ウレタンが発泡することにより、パイプ２３０内に充填断熱材２３４が形成される。発泡硬質ウレタンフォームを加工して形成した断熱材をパイプ２３０内に嵌め込んでも良い。その後、蓋板２２６を壁隅部形成ユニット１０の隅部縦木２０４及び図１０（ｂ）における最左の縦木４０に固定して隅部断熱材２２４、充填断熱材２３４及びパイプ２３０を覆う。さらに、断熱壁１６の隅部２０６に段差が生じないように、シール板２２８を壁隅部形成ユニット１０の隅部縦木２０４及び組合せユニット２０８の隅部縦木２０４に固定する。これにより、断熱壁１６の隅部２０６において断熱材を有し、外観上好ましい家屋を形成することができる。
【００４２】
図１０（ａ）に示す壁隅部形成ユニット１０によっても、建築現場において隅柱を基礎１４の上に立設することなく、隅柱形成縦木２００によって隅柱を形成できる。これにより、建築現場における施工作業を迅速に行うことができ、建築現場における作業コストを低減できる。
【００４３】
以上、本発明の実施形態について図面に基づいて説明したが、本発明は図示した実施形態に限定されない。例えば、外装パネルを備えた壁隅部形成ユニット、組合せユニット及び壁形成ユニットにおいて、外装パネルのみを建築現場で取り付けても良い。また、壁隅部形成ユニット等において、内装パネルを断熱パネルに密着接合し、通気経路を備えない構成であっても良い。内装パネルの中空部によって断熱効果を高めることができる。
【産業上の利用可能性】
【００４４】
本発明の壁隅部形成ユニットによれば、工場において製造し、建築現場まで運搬し、建築現場に既に形成されている基礎に立設することにより、建築構造物の壁の隅部を形成することができる。このため、建築構造物の形成のために広く利用できる。
【符号の説明】
【００４５】
１０：壁隅部形成ユニット
１２：家屋
１４：基礎
１６：断熱壁（壁）
１８：断熱材
２０：断熱パネル
２２：一方の面
２４：外装パネル
２６：内装パネル
２８：中空部
３０：通気経路
４６：固定用横木
２００：隅柱形成縦木
２０２：梁形成横木
２０８：組合せユニット
２１０：配置空間
【図１】
2018040156.tif 000003
【図２】
2018040156.tif 000004
【図３】
2018040156.tif 000005
【図４】
2018040156.tif 000006
【図５】
2018040156.tif 000007
【図６】
2018040156.tif 000008
【図７】
2018040156.tif 000009
【図８】
2018040156.tif 000010
【図９】
2018040156.tif 000011
【図１０】
2018040156.tif 000012
【図１１】
2018040156.tif 000013